(57)【要約】【課題】左右両用であってつぼ表示が印刷しやすいつぼ表示付き手袋を得る。【解決手段】左手のひら側の指圧のつぼ位置に対応させて身体の部位名を表示した第１の用紙１と、右手のひら側の指圧のつぼ位置に対応させて身体の部位名を表示した第２の用紙４とで構成した左右両用の紙製のつぼ表示付き手袋。【選択図】図１
0003135477.tif 000002
【実用新案登録請求の範囲】
【請求項１】
片方の手袋において、左手のひら側の指圧のつぼ位置に対応させて身体の部位名を表示した第１の用紙と、右手のひら側の指圧のつぼ位置に対応させて身体の部位名を表示した第２の用紙とを備えたことを特徴とするつぼ表示付き手袋。
【請求項２】
左手のひら側の指圧のつぼ位置に対応させて身体の部位名を表示した第１の用紙と、右手のひら側の指圧のつぼ位置に身体の部位名を表示した第２の用紙とを接合して形成する左右両用の紙製手袋において、少なくとも指の先の輪郭部分を接合した接合部と、指の付け根輪郭部分を接合しない非接合部とを備えたことを特徴とするつぼ表示付き手袋。
【請求項３】
前記紙製手袋が透明又は半透明な左右両用の樹脂製手袋により覆われていることを特徴とする請求項１又は請求項２記載のつぼ表示付き手袋。
【請求項４】
前記紙製手袋の表面には皺部が形成されていることを特徴とする請求項１又は請求項２記載のつぼ表示付き手袋。
【請求項５】
前記紙製手袋の外形が三叉形状であることを特徴とする請求項１ないし請求項４のいずれか記載のつぼ表示付き手袋。
【考案の詳細な説明】
【技術分野】
【０００１】  本考案は、手袋に指圧のつぼを表示したつぼ表示付き手袋に関するものである。
【背景技術】
【０００２】  従来、手のひらや足の裏において指圧の効果が得られやすいことが知られており、つぼ表示付き手袋として布製手袋や、左右個別に作られ、左右の手にそれぞれ着用して手のひらのつぼを指圧できるものが提供されていた（特許文献１）。【０００３】  しかし、このような従来の左右個別の布製手袋では、製造課程において左右２種類の手袋を製造する必要があり工程が２倍になり効率的でなく、また布製であるため、つぼ表示における印刷や染め出しの工程も複雑になり、結局、高価なつぼ表示付き手袋になってしまった。【０００４】  また、実際に左右に手袋を嵌めると、押さえる方の親指の指先に手袋を嵌めているから、指圧の力がずれて、効果が薄れるという問題もあった。【０００５】  さらに、布製手袋では、指圧個所を鮮明に図解や表示することが困難であると共に、指圧における注意書きや広告表示がし難いという欠点があった。
【特許文献１】特開平４−３３８４６７号公報
【考案の開示】
【考案が解決しようとする課題】
【０００６】  本考案に係るつぼ表示付き手袋は、上述のような欠点を解消するためなされたものであり、つぼ表示に関する印刷も鮮明にすることができ、しかも廃棄処分するときも容易に使い捨てが可能であって、安価に製造することができる左右両用のつぼ表示付き手袋を提供するものである。
【課題を解決するための手段】
【０００７】  本考案に係るつぼ表示付き手袋は、片方の手袋において、左手のひら側の指圧のつぼ位置に対応させて身体の部位名を表示した第１の用紙と、左手のひら側の指圧のつぼ位置に対応させて身体の部位名を表示した第２の用紙とを備えたことを特徴とする。【０００８】  本考案に係るつぼ表示付き手袋は、左手のひら側の指圧のつぼ位置に対応させて身体の部位名を表示した第１の用紙と、右手のひら側の指圧のつぼ位置に身体の部位名を表示した第２の用紙とを接合して形成する左右両用の紙製手袋において、少なくとも指の先の輪郭部分を接合した接合部と、指の付け根の輪郭部分を接合しない非接合部とを備えたことを特徴とする。【０００９】  本考案に係るつぼ表示付き手袋は、紙製手袋が透明又は半透明な左右両用の樹脂製手袋により覆われていることを特徴とする。【００１０】  本考案に係るつぼ表示付き手袋は、紙製手袋の表面には皺部が形成されていることを特徴とする。【００１１】  本考案に係るつぼ表示付き手袋は、紙製手袋の外形が三叉形状であることを特徴とする。
【考案の効果】
【００１２】  本考案のつぼ表示付き手袋は、片方の紙製手袋につぼ表示をしたので、左右両用のつぼ押しが可能であり、手袋を嵌めていない親指などで指圧ができるので指圧効果が向上する。また、つぼ表示を紙製手袋に詳細かつ鮮明に印刷することができ、指圧個所の表示文字や注意点が明白であると共に、紙製であるため破棄も容易である。
【考案を実施するための最良の形態】
【００１３】  左右両用の紙製手袋につぼ表示を印刷して、さらに紙製であっても破れ難くするため指の付けの輪郭部分に開口を設けるように接着剤の接合しない非接合部を形成する。
【実施例１】
【００１４】  図１は実施例１に係る左手のひら側を形成する手袋の用紙の正面図である。
図１において、１は紙製手袋用の第１の用紙、２は用紙１に印刷された手袋形状、３は左手のひら側の指圧のつぼ位置に対応させ用紙１に印刷された肩、胃、目などの身体の部位名を表示したつぼ表示である。【００１５】  図２は図１の実施例１に係る右手のひら側を形成する手袋の用紙の正面図である。図２において、４は紙製手袋用の第２の用紙、５は用紙４に印刷された手袋形状、６は右手のひら側の指圧のつぼ位置に対応させ用紙４に印刷された肩、胃、目などの身体の部位名を表示したつぼ表示である。【００１６】  つぼ表示付き手袋は、図１の左手のひらの用紙１と図２の右手のひらの用紙４とをそれぞれ手袋形状２、手袋形状５に合わせて接着剤で接合したのち切断機で手袋形状にあわせて切断することにより形成される。なお、紙製手袋用の用紙１、用紙４は紙質としては薄く柔軟性の高いものが好ましく和紙でもよい。紙製であるため通常の印刷技術を用いてつぼに対応する身体の部位名やつぼ押しをするときの注意点や効能なども詳細かつ鮮明に印刷することができる。
【実施例２】
【００１７】  図３は、図１の用紙１と図２の用紙４とを手袋形状に貼り合わせたのち切断したつぼ表示付き手袋の正面図である。図３において、７は斜線で表した部位を接着剤で貼りつけた接合部、８は接着剤で接合されていない非接合部であって用紙１と用紙４との間に開口を形成した指の付け根の輪郭部分である。【００１８】  図１と図２に示したように左右同一形状の紙製手袋であるため、製造工程は同一で良いから効率的であり、容易に製作することができる。しかし手袋の使用時に紙製の欠点であるところの破れやすく、さらに左右両用であるためその形状が限定され、その結果、各指が折り曲げ難いものとなりやすい。従って、紙質を柔軟性の高いものにすることが好ましい。また、紙質が硬いものでは親指やその他の指の付け根の輪郭部分では紙が破れやすいことがある。【００１９】  そこで、この実施例２では実施例１のようにすべての外側の輪郭部分を接着剤で接合するのではなく、図３に示したように接合部７と非接合部８とに分けた。すなわち、斜線部のように指の先の輪郭部分は接着剤で接合して接合部７を形成した。また、親指と人差し指の間、人差し指と中指の間、中指と薬指の間、薬指と小指の間のような指の付け根の輪郭部分は、接着剤で接合しないで開口を有する非接合部８を形成した。【００２０】  この実施例２のように非接合部８を形成することにより、使用者の指の長さや大きさが多少異なっても手袋の対応性が良くなり、使用者の範囲を広げることができる。また、指の付け根における指の曲げ具合や伸ばし具合が極めて良くなり耐久性が向上する。
さらに、付け根の輪郭部分に対応する非接合部８の形状については、特に丸みを持たせた三角形状にすることにより、破れ難いものとすることができる。なお、非接合部８の位置を親指と人差し指の間のみのように部分的に開口を設けてもよい。
また、接合部の接合には接着剤を用いず、糸などで結合しても良い。
【実施例３】
【００２１】  図４は手袋を二重構造としたつぼ表示付き手袋の正面図である。図４において、１０は手袋の側面を形成する透明又は半透明な樹脂製であるポリエチレン製手袋、１１は手袋の内側を形成する紙製手袋である。【００２２】  この実施例３のような二重構造にしたことにより、内側の紙製手袋１１が破れた場合でも使用しやすい。しかも外側のポリエチレン製手袋１０のような樹脂製手袋が存在することにより、手袋の用途が拡大し、、掃除用、園芸用など作業用にも使用できると共に、その仕事中にもつぼ押しの表示を見ながら容易につぼ押しができるという利点がある。【００２３】  なお、ポリエチレン製手袋１０の表面に油性や水性のペンにより、つぼ表示することができる。もし、このようにポリエチレン製手袋１０につぼを表示したときでも内側の紙製手袋１１を使用しているので耐湿性が増し手袋内が蒸れることも少なく無く、快適性も増す。
【実施例４】
【００２４】  図５は紙製の実施例４を示すつぼ表示付き手袋２０の正面図である。図５において、２１は手袋の表面に設けられた皺部である。紙製手袋では紙質が問題であり、薄手のものが指を曲げやすく良い。しかし、厚手の紙質で作ると指が曲げ難くしかも破れやすい。そこで、厚手の紙質で形成したつぼ表示付き手袋２０では、つぼ押しをするとき破れないように、あらかじめ手袋の表面に多くの皺部２１を形成する。【００２５】  このように皺部２１を設けたつぼ表示付き手袋２０は、柔軟性が増し指圧に際しても破れ難く長時間の使用に耐えることができる。
【実施例５】
【００２６】  図６は手袋の形状を三叉状にした実施例５を示す正面図である。図６において、３０は親指３１と小指３２の部分を分離した三叉状紙製手袋である。３３は残りの指すなわち人差し指３４、中指３５、薬指３６をまとめて入れることができる中袋である。【００２７】  この実施例５において、中袋３３が手の中心となり、親指３１と小指３２が両脇になるので、ちょうど指人形のような形になり、いわゆる手踊り人形が形成できる。
また、人差し指３４、中指３５、薬指３６を一体に形成できるため、中袋３３の製造がしやすく効率よく製作できる。
さらにこの実施例５の三叉状紙製手袋３０を手に嵌めたとき、３本の指が重なり合うため温まりやすく、しかも親指３１と小指３２が動かし易いので左右両用の手袋としても使用しやすい。【００２８】  さらにまた、この実施例５の三叉状紙製手袋３０は、電車等のつり革に掴まるときも，中袋３３でつり革を掴めば３本の指が入っているので強くつり革に掴まることができ、応用性の高いものといえる。
【実施例６】
【００２９】  図７は手袋の形状を動物の形とした実施例６を示す正面図である。４０は動物の外形に似せた手踊り人形のつぼ表示付き手袋、４１は耳である。十二支やかわいい動物の顔や形に似せて外形を形付け、耳４１を付けるだけでも子どもからお年寄りまで楽しめる。また、つぼ表示も文字だけでなく絵柄にしたりして、お年寄りにもよく分かるような耳、目、鼻などのデザインすれば、つぼ押しがより楽しく行うことができる。
【産業上の利用可能性】
【００３０】  本考案に係るつぼ押し表示付き手袋は、つぼ押しの使用にとどまらず、パンコンの使用時の手袋、車ドライブ用手袋、機械加工時の油対策用、さらには就寝時の手の保温としての寝冷え対策用、電車のつり革を握る時の衛生用手袋など数多くの用途に使用できるので、手袋製造産業や健康増進の健康グッズ産業の発展にも大いに役立つ。
【図面の簡単な説明】
【００３１】
【図１】実施例１に係る手袋の用紙の正面図である。
【図２】実施例１に係る手袋の用紙の正面図である。
【図３】実施例２に係るつぼ表示付き手袋の正面図である。
【図４】実施例３に係るつぼ表示付き手袋の正面図である。
【図５】実施例４に係るつぼ表示付き手袋の正面図である。
【図６】実施例５に係るつぼ表示付き手袋の正面図である。
【図７】実施例６に係るつぼ表示付き手袋の正面図である。
【符号の説明】
【００３２】１  第１の用紙
２  手袋形状
３  つぼ表示
４  第２の用紙
５  手袋表示
６  つぼ表示
７  接合部
８  非接合部
１０  ポリエチレン製手袋
１１  紙製手袋
２０  つぼ表示付き手袋
２１  皺部
３０  三叉状紙製手袋
３３  中袋
４０  つぼ表示付き手袋
【図１】
0003135477.tif 000003
【図２】
0003135477.tif 000004
【図３】
0003135477.tif 000005
【図４】
0003135477.tif 000006
【図５】
0003135477.tif 000007
【図６】
0003135477.tif 000008
【図７】
0003135477.tif 000009